(57)【要約】【課題】大きさの異なる全てのカセッテと安定して電気的に接続して、充電又は放射線画像の出力を行う。【解決手段】放射線照射装置１４は、放射線を被写体１９に照射する放射線照射部１７と、データの送信先を示すコンソールＩＤを含む情報を受信する制御部３４のＩ／Ｏポートと、放射線照射装置１４から照射されて被写体１９を透過した放射線の放射量に応じた画像を示す画像データを生成する放射線検出器２５、コンソールＩＤを記憶するＨＤＤ５５ｂ、コンソールＩＤがＨＤＤ５５ｂに記憶されるように制御するＣＰＵ５５ｃ、及び生成した画像データをＨＤＤ５５ｂに記憶されたコンソールＩＤで示される送信先に送信する通信部５３を備えた電子カセッテ１２がカセッテ装着部３８に装着されているときに、受信されたコンソールＩＤがＨＤＤ５５ｂに記憶されるように制御する制御手段としての変調回路４８、ＬＥＤドライバ５０、及びＬＥＤ６１とを含む。【選択図】図１
2009276390.tif 000002
【特許請求の範囲】
【請求項１】
放射線を被写体に照射する放射線照射手段と、
データの送信先を示す識別情報を含む情報を受信する受信手段と、
前記放射線照射手段から照射されて被写体を透過した放射線の放射量に応じた画像を示す画像データを生成する画像データ生成手段、前記識別情報を記憶する記憶手段、前記識別情報が前記記憶手段に記憶されるように制御する記憶制御手段、及び前記生成した画像データを前記記憶手段に記憶された識別情報で示される送信先に送信する送信手段を備えた放射線画像検出装置が装着されているときに、前記受信手段で受信された識別情報が前記記憶手段に記憶されるように制御する制御手段と、
を含む放射線照射装置。
【請求項２】
放射線を被写体に照射する放射線照射手段と、
データの送信先を示す識別情報を含む情報を受信する受信手段と、
前記放射線照射手段から照射された放射線の放射野を確認するための光を照射する光照射手段と、前記放射線照射手段から照射されて被写体を透過した放射線の放射量に応じた画像を示す画像データを生成する画像データ生成手段、光を受光する受光手段、前記識別情報を記憶する記憶手段、前記受光手段で受光された光に重畳された識別情報が前記記憶手段に記憶されるように制御する記憶制御手段、及び前記生成した画像データを前記記憶手段に記憶された識別情報で示される送信先に送信する送信手段を備えた放射線画像検出装置が装着されているときに、前記受信手段で受信された識別情報が重畳された光が照射されるように前記光照射手段を制御する制御手段と、
を含む放射線照射装置。
【請求項３】
放射線を被写体に照射する放射線照射手段、データの送信先を示す識別情報を含む情報を受信する受信手段、前記放射線照射手段から照射された放射線の放射野を確認するための光を照射する光照射手段、及び前記受信手段で受信された識別情報が重畳された光が照射されるように前記光照射手段を制御する第１の制御手段を備えた放射線照射装置と、
前記放射線照射手段から照射されて被写体を透過した放射線の照射量に応じた画像を示す画像データを生成する画像データ生成手段、光を受光する受光手段、前記識別情報を記憶する記憶手段、前記受光手段で受光された光に重畳された識別情報が前記記憶手段に記憶されるように制御する第２の制御手段、及び前記生成した画像データを前記記憶手段に記憶された識別情報で示される送信先に送信する送信手段を備えた放射線画像検出装置と、
を含む放射線画像検出システム。
【請求項４】
前記第２の制御手段は、前記受光手段で光が受光された場合に、前記画像データ生成手段及び前記送信手段に動作するための動作電力が供給されるように制御し、前記送信手段による画像データの送信が完了した場合には、前記画像データ生成手段及び前記送信手段に供給される電力が前記動作電力より小さい電力が供給されるように制御する請求項３記載の放射線画像検出システム。
【請求項５】
前記第１の制御手段は、更に、前記画像データ生成手段によって画像データが生成されてから前記送信手段によって画像データが送信されるまでの１つのジョブを特定するための情報が重畳された光が送信されるように前記光照射手段を制御する請求項２〜４の何れか１項記載の放射線画像検出システム。
【請求項６】
前記１つのジョブを特定するための情報は、前記被写体を識別するための識別情報及び撮影条件を表す情報の少なくとも一方の情報を含む請求項５記載の放射線画像検出システム。
【発明の詳細な説明】
【技術分野】
【０００１】
本発明は放射線画像照射装置、及び放射線画像検出システムに関する。
【背景技術】
【０００２】
近年、ＴＦＴ（Thin film transistor）アクティブマトリクス基板上にＸ線感応層を配置し、Ｘ線を直接デジタルデータに変換できるＦＰＤ（flat panel detector）が実用化されており、このＦＰＤ等を用いて被検体等の被写体を透過して照射された放射線により表わされる放射線画像を示す画像データを生成し、生成した画像データを記憶する可搬型放射線画像検出装置（以下「電子カセッテ」とも呼ぶ）が実用化されている。
【０００３】
電子カセッテを用いた放射線画像検出システムでは、コントローラ（以下「コンソール」とも呼ぶ）等から入力された撮像条件などの情報に基づいて撮像を行い、電子カセッテで生成された画像データをコントローラへ送信し、コントローラで受信した画像データに基づく画像をディスプレイ等に表示することにより、撮像した画像を確認することが行われている。
【０００４】
ここで、電子カセッテは、可搬性を有し取り扱いも容易であるため、同時に複数の電子カセッテを使用することができ、また、コントローラも同一場所に複数設置されている場合があり、その場合には、どの電子カセッテの画像データをどのコントローラへ送信するかを特定してから送信する必要がある。
【０００５】
そこで、従来の放射線画像撮影システムでは、撮影に使用するカセッテに内蔵されている輝尽性蛍光体シートを識別するためのシートＩＤ番号を示すバーコードをコントローラで読み取り、コントローラを識別するためのコントローラＩＤと共にサーバへ記憶しておき、カセッテから画像データを読み出して送信する際には、画像読取装置でシートＩＤを読み取り、サーバへ記憶されているシートＩＤと対応付けられているコントローラＩＤを取得し、コントローラＩＤが示すコントローラへ画像データを送信することが提案されている（例えば、特許文献１参照）。
【０００６】
また、特許文献１の放射線画像撮影システムでは、コントローラ側から受信したい画像データを保持しているカセッテが挿入されている画像読取装置へコントローラＩＤを送信し、画像データの返送を要求することにより、特定のコントローラへ画像データを送信することが提案されている。
【特許文献１】特開２００２−１５９４７６号公報
【発明の開示】
【発明が解決しようとする課題】
【０００７】
しかしながら、特許文献１の放射線画像撮影システムでは、電子カセッテ毎にコントローラＩＤの登録を行う必要があり、特に、撮影室とコントローラの設置場所とが離れている場合などには煩雑である。また、コントローラＩＤを登録するために電子カセッテを持ち運ぶのは非常に面倒である。更に、一旦電子カセッテに登録したコントローラＩＤを保持して、常に特定のコントローラに対しては同じ電子カセッテを使用するようにすると、電子カセッテの柔軟な使用が妨げられる、という問題がある。
【０００８】
また、コントローラ側から所望の画像データを保持している電子カセッテを指定する場合では、電子カセッテが撮影室の各所または別の部屋に存在する場合や、電子カセッテの機種が同じで一見して識別困難な場合などには、電子カセッテの指定に誤りが生じる場合があり、その場合には、結果として特定のコントローラへ画像データを送信できない、という問題がある。
【０００９】
本発明は、上述した問題を解決するために提案されたものであり、電子カセッテ（放射線画像検出装置）で生成された画像データを受信可能な装置が複数存在する場合であっても、簡易かつ確実に特定の装置へ画像データを送信することができる放射線照射装置、及び放射線画像検出システムを提供することを目的とする。
【課題を解決するための手段】
【００１０】
上記目的を達成するために、第１の発明に係る放射線照射装置は、放射線を被写体に照射する放射線照射手段と、データの送信先を示す識別情報を含む情報を受信する受信手段と、前記放射線照射手段から照射されて被写体を透過した放射線の放射量に応じた画像を示す画像データを生成する画像データ生成手段、前記識別情報を記憶する記憶手段、前記識別情報が前記記憶手段に記憶されるように制御する記憶制御手段、及び前記生成した画像データを前記記憶手段に記憶された識別情報で示される送信先に送信する送信手段を備えた放射線画像検出装置が装着されているときに、前記受信手段で受信された識別情報が前記記憶手段に記憶されるように制御する制御手段とを含んで構成されている。
【００１１】
第１の発明に係る放射線照射装置によれば、データの送信先を示す識別情報を含む情報が、装着された放射線画像検出装置の記憶手段に記憶されるように制御するので、放射線検出装置を持ち歩くことなく、放射線検出装置が画像データを送信する際の送信先の情報を記憶しておくことができ、これにより、放射線画像検出装置で生成された画像データを受信可能な装置が複数存在する場合であっても、簡易かつ確実に特定の装置へ画像データを送信することができる。
【００１２】
また、上記目的を達成するために、第２の発明に係る放射線照射装置は、放射線を被写体に照射する放射線照射手段と、データの送信先を示す識別情報を含む情報を受信する受信手段と、前記放射線照射手段から照射された放射線の放射野を確認するための光を照射する光照射手段と、前記放射線照射手段から照射されて被写体を透過した放射線の放射量に応じた画像を示す画像データを生成する画像データを生成する画像データ生成手段、光を受光する受光手段、前記識別情報を記憶する記憶手段、前記受光手段で受光された光に重畳された識別情報が前記記憶手段に記憶されるように制御する記憶制御手段、及び前記生成した画像データを前記記憶手段に記憶された識別情報で示される送信先に送信する送信手段を備えた放射線画像検出装置が装着されているときに、前記受信手段で受信された識別情報が重畳された光が照射されるように前記光照射手段を制御する制御手段とを含んで構成されている。
【００１３】
第２の発明に係る放射線照射装置によれば、放射線画像検出装置が装着されているときに、データの送信先を示す識別情報が重畳された光が照射される。このとき、放射線画像検出装置では、この照射された光が受光され、受光された光に重畳された識別情報を記憶手段に記憶するように制御されるので、放射線検出装置を持ち歩くことなく、放射線検出装置が画像データを送信する際の送信先の情報を記憶しておくことができ、これにより、放射線画像検出装置で生成された画像データを受信可能な装置が複数存在する場合であっても、簡易かつ確実に特定の装置へ画像データを送信することができる。
【００１４】
また、上記目的を達成するために、第３の発明に係る放射線画像検出システムは、放射線を被写体に照射する放射線照射手段、データの送信先を示す識別情報を含む情報を受信する受信手段、前記放射線照射手段から照射された放射線の放射野を確認するための光を照射する光照射手段、及び前記受信手段で受信された識別情報が重畳された光が照射されるように前記光照射手段を制御する第１の制御手段を備えた放射線照射装置と、前記放射線照射手段から照射されて被写体を透過した放射線の照射量に応じた画像を示す画像データを生成する画像データ生成手段、光を受光する受光手段、前記識別情報を記憶する記憶手段、前記受光手段で受光された光に重畳された識別情報が前記記憶手段に記憶されるように制御する第２の制御手段、及び前記生成した画像データを前記記憶手段に記憶された識別情報で示される送信先に送信する送信手段を備えた放射線画像検出装置とを含んで構成されている。
【００１５】
第３の発明に係る放射線画像検出システムによれば、放射線画像検出装置が装着されているときに、データの送信先を示す識別情報が重畳された光が照射される。このとき、放射線画像検出装置では、この照射された光が受光され、受光された光に重畳された識別情報を記憶手段に記憶するように制御されるので、放射線検出装置を持ち歩くことなく、放射線検出装置が画像データを送信する際の送信先の情報を記憶しておくことができ、これにより、放射線画像検出装置で生成された画像データを受信可能な装置が複数存在する場合であっても、簡易かつ確実に特定の装置へ画像データを送信することができる。
【００１６】
また、前記第２の制御手段は、前記受光手段で光が受光された場合に、前記画像データ生成手段及び前記送信手段に動作するための動作電力が供給されるように制御し、前記送信手段による画像データの送信が完了した場合には、前記画像データ生成手段及び前記送信手段に供給される電力が前記動作電力より小さい電力が供給されるように制御することができる。これにより、画像データを生成し、生成した画像データを送信する動作を行う場合のみ動作電力が供給され、この場合以外では供給される電力が、動作電力より小さい電力であるので、動作電力を必要としないときに不必要な電力を供給せずにすみ、省エネを図ることができる。
【００１７】
また、前記第１の制御手段は、更に、前記画像データ生成手段によって画像データが生成されてから前記送信手段によって画像データが送信されるまでの１つのジョブを特定するための情報が重畳された光が送信されるように前記光照射手段を制御することができる。この１つのジョブを特定するための情報に、前記被写体を識別するための識別情報及び撮影条件を表す情報の少なくとも一方の情報を含めるようにしてもよい。
【発明の効果】
【００１８】
以上説明したように、本発明に係る放射線照射装置、及び放射線画像検出システムによれば、放射線画像検出装置で生成された画像データを受信可能な装置が複数存在する場合であっても、簡易かつ確実に特定の受信装置へ画像データを送信することができる、という効果が得られる。
【発明を実施するための最良の形態】
【００１９】
以下、図面を参照して本発明の実施の形態について詳細に説明する。
【００２０】
図１に示すように、本実施の形態に係る放射線画像検出システム１０は、可搬性を有し、画像情報を担持した放射線が照射される毎に画像情報を画像データに変換して記憶し、画像データを無線によって送信可能な電子カセッテ１２と、放射線照射装置１４と、コンソール１６とを備えている。なお、電子カセッテ１２は、本発明に係る放射線画像検出装置に対応する。
【００２１】
図２(Ａ)に示すように、電子カセッテ１２は、放射線画像の撮影時に、放射線照射装置１４のカセッテ装着部１５に装着されることにより、エックス線（Ｘ線）等の放射線を照射する放射線照射部１７と間隔を空けて配置される。このときの放射線照射部１７と電子カセッテ１２との間は、被写体１９が位置するための撮影位置とされており、放射線画像の撮影が指示されると、放射線照射部１７は予め与えられた撮影条件等に応じた放射線量の放射線を射出する。放射線照射部１７から射出された放射線は、撮影位置に位置している被写体１９を透過することで画像情報を担持した後に電子カセッテ１２に照射される。
【００２２】
図２(Ｂ)に示すように、電子カセッテ１２は、放射線Ｘを透過させる材料から成り厚みを有する矩形平板状のケーシング(筐体)２０によって覆われており、ケーシング２０の内部には、ケーシング２０のうち放射線Ｘが照射される照射面２２側から順に、被写体１９を透過することに伴って生ずる放射線Ｘの散乱線を除去するグリッド２３、放射線Ｘを検出する放射線検出器(放射線検出パネル)２５、及び放射線Ｘのバック散乱線を吸収する鉛板２７が配設されている。なお、ケーシング２０の照射面２２をグリッド２３で構成してもよい。また、ケーシング２０の内部の一端側には、マイクロコンピュータを含む各種回路（後述）を収容するケース３１が配置されている。ケース３１内部に収容された各種回路が放射線Ｘの照射に伴って損傷することを回避するため、ケース３１の照射面２２側には鉛板等を配設しておくことが望ましい。
【００２３】
電子カセッテ１２の放射線検出器２５は、図３に示すＴＦＴアクティブマトリクス基板３３上に、放射線を吸収して電荷に変換する電荷発生層が積層されて構成されている。電荷発生層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。また、ＴＦＴアクティブマトリクス基板３３上には、電荷発生層で発生された電荷を蓄積する蓄積容量３５と、蓄積容量３５に蓄積された電荷を読み出すためのＴＦＴ３７を備えた画素部３９（図３では個々の画素部３９に対応する光電変換層を光電変換部４１として模式的に示している）がマトリクス状に多数個配置されており、電子カセッテ１２への放射線の照射に伴って電荷発生層で発生された電荷は、個々の画素部３９の蓄積容量３５に蓄積される。これにより、電子カセッテ１２に照射された放射線に担持されていた画像情報は電荷情報へ変換されて放射線検出器２５に保持される。
【００２４】
また、ＴＦＴアクティブマトリクス基板３３には、一定方向（行方向）に延設され個々の画素部３９のＴＦＴ３７をオンオフさせるための複数本のゲート配線４３と、ゲート配線４３と直交する方向（列方向）に延設されオンされたＴＦＴ３７を介して蓄積容量３５から蓄積電荷を読み出すための複数本のデータ配線４５が設けられている。個々のゲート配線４３はゲート線ドライバ４７に装着されており、個々のデータ配線４５は信号処理部４９に装着されている。個々の画素部３９の蓄積容量３５に電荷が蓄積されると、個々の画素部３９のＴＦＴ３７は、ゲート線ドライバ４７からゲート配線４３を介して供給される信号により行単位で順にオンされ、ＴＦＴ３７がオンされた画素部３９の蓄積容量３５に蓄積されている電荷は、電荷信号としてデータ配線４５を伝送されて信号処理部４９に入力される。従って、個々の画素部３９の蓄積容量３５に蓄積されている電荷は行単位で順に読み出される。
【００２５】
図示は省略するが、信号処理部４９は、個々のデータ配線４５毎に設けられた増幅器及びサンプルホールド回路を備えており、個々のデータ配線４５を伝送された電荷信号は増幅器で増幅された後にサンプルホールド回路に保持される。また、サンプルホールド回路の出力側にはマルチプレクサ、Ａ／Ｄ変換器が順に装着されており、個々のサンプルホールド回路に保持された電荷信号はマルチプレクサに順に（シリアルに）入力され、Ａ／Ｄ変換器によってデジタルの画像データへ変換される。信号処理部４９には画像メモリ５１が装着されており、信号処理部４９のＡ／Ｄ変換器から出力された画像データは画像メモリ５１に順に記憶される。画像メモリ５１は複数フレーム分の画像データを記憶可能な記憶容量を有しており、放射線画像の撮影が行われる毎に、撮影によって得られた画像データが画像メモリ５１に順次記憶される。なお、放射線検出器２５、ＴＦＴアクティブマトリクス基板３３、蓄積容量３５、ＴＦＴ３７、画素部３９、光電変換部４１、ゲート配線４３、データ配線４５、ゲート線ドライバ４７、及び信号処理部４９は、本発明の画像データ生成手段に対応する。
【００２６】
また、電子カセッテ１２は、コンソール１６との間で無線通信によりデータの送受信を行うための通信部５３、制御部５５、放射線照射装置１４との間で光通信によりデータの受信を行うための光通信部（光受信部）５７を備えている。
【００２７】
通信部５３は、無線電波を送受信するためのアンテナ５３ａ、及びＲＦ（Radio  Frequency）回路５３ｂを備えている。ＲＦ回路５３ｂは、所定の周波数帯におけるデータの送受信を行う送受信回路を有する。ＲＦ回路５３ｂは、アンテナ５３ａを介して受信した無線電波の信号を増幅、周波数変換、及び復調して制御装置５５に出力する処理（いわゆる受信処理）、及び制御装置５５から入力されたデータを変調、周波数変換及び増幅を行ってアンテナ５３ａを介して無線電波として出力する処理（いわゆる送信処理）を行うことにより、無線通信処理を行う。
【００２８】
光通信部５７は、受光素子５７ａ、増幅回路５７ｂ、及び復調回路５７cを備えている。受光素子５７aは、電子カセッテ１２がカセッテ装着部１５に装着されているときに、放射線照射装置１４から照射された光を受光可能な位置に設けられており、受光した光を電気信号に変換して出力する。なお、受光素子５７ａは、例えばフォトダイオードを含んで構成される。増幅回路５７ｂは、受光素子５７ａに接続されており、受光素子５７ａからの電気信号を増幅して出力する。復調回路５７ｃは、増幅回路５７ｂに接続されており、増幅された電気信号を復調して、受光素子５７ａで受光した光に重畳されたデータを出力する。したがって、光通信部５７によって放射線照射装置１４から照射された光に重畳されたデータを取り出すことが可能となる。
【００２９】
制御部５５は、ＲＯＭ（Read  Only  Memory）５５ａ、ＨＤＤ（Hard  Disk  Drive）５５ｂ、ＣＰＵ（Central  Processing  Unit）５５ｃ、ＲＡＭ（Random  Access  Memory）５５ｄ、及びＩ／Ｏ（入出力）ポート５５ｅを備えている。これらＲＯＭ５５ａ、ＨＤＤ５５ｂ、ＣＰＵ５５ｃ、ＲＡＭ５５ｄ、及びＩ／Ｏポート５５ｅは互いにバス５５ｆで接続されている。
【００３０】
記憶媒体としてのＲＯＭ５５ａには、ＯＳ等の基本プログラム、及び各種処理を実行するためのプログラムが記憶されている。
【００３１】
記憶媒体としてのＨＤＤ５５ｂには、詳細を以下で説明する画像データ送信処理の処理ルーチンを実行するためのプログラムが記憶されている。
【００３２】
ＣＰＵ５５ｃは、プログラムをＲＯＭ５５ａ及びＨＤＤ５５ｂから読み出して実行する。
【００３３】
ＲＡＭ５５ｄには、各種データが一時的に記憶される。
【００３４】
Ｉ／Ｏポート５５ｅには、上述した画像メモリ５１、受光素子５７ａ、増幅回路５７ｂ、復調回路５７ｃ、ＲＦ回路５３ｂ、及びその他各種回路・素子が接続されている。
【００３５】
また、電子カセッテ１２には、電子カセッテ１２を動作させるために各種回路・素子へ電力を供給する電源部８０が更に設けられている。この電源部８０は、Ｉ／Ｏポート５５ｅに接続されており、制御部５５の制御によって、電源部８０により各種回路・素子へ供給される電力の電力量が制御される。電源部８０としては、電子カセッテ１２の可搬性を損なわないように、バッテリ（充電可能な二次電池）を内蔵し、充電されたバッテリから各種回路・素子へ電力を供給する構成が好適であるが、バッテリとして一次電池を用いてもよいし、商用電源に常時装着され商用電源から供給された電力を整流、変圧して各種回路・素子へ電力を供給する構成であってもよい。
【００３６】
コンソール１６は、モニタ２４、ユーザの指示等を受け付けるための入力装置２６、無線電波を送受信するためのアンテナ２８、ＲＦ（Radio  Frequency）回路３０、及びコンソール制御装置３２を備えている。
【００３７】
モニタ２４は、入力された情報に基づいた画像を表示するＬＣＤ（Ｌｉｑｕｉｄ  Ｃｒｙｓｔａｌ  Ｄｉｓｐｌａｙ）を含んで構成されている。
【００３８】
入力装置２６は、キーボードやマウスから構成されており、このキーボードやマウスをユーザが操作することによって、ユーザの指示等を受け付ける。
【００３９】
ＲＦ回路３０は、所定の周波数帯におけるデータの送受信を行う送受信回路を有する。ＲＦ回路３０は、アンテナ２８を介して受信した無線電波の信号を増幅、周波数変換、及び復調してコンソール制御装置３２に出力する処理（いわゆる受信処理）、及びコンソール制御装置３２から入力されたデータを変調、周波数変換及び増幅を行ってアンテナ２８を介して無線電波として出力する処理（いわゆる送信処理）を行うことにより、無線通信処理を行う。
【００４０】
コンソール制御装置３２は、ＲＯＭ（Read  Only  Memory）３２ａ、ＨＤＤ（Hard  Disk  Drive）３２ｂ、ＣＰＵ（Central  Processing  Unit）３２ｃ、ＲＡＭ（Random  Access  Memory）３２ｄ、及びＩ／Ｏ（入出力）ポート３２ｅを備えている。これらＲＯＭ３２ａ、ＨＤＤ３２ｂ、ＣＰＵ３２ｃ、ＲＡＭ３２ｄ、及びＩ／Ｏポート３２ｅは互いにバス３２ｆで接続されている。
【００４１】
記憶媒体としてのＲＯＭ３２ａには、ＯＳ等の基本プログラムが記憶されている。
【００４２】
記憶媒体としてのＨＤＤ３２ｂには、詳細を以下で説明するＸ線照射処理、及び画像データ受信処理の各処理ルーチンを実行するための各プログラムが記憶されている。
【００４３】
ＣＰＵ３２ｃは、プログラムをＲＯＭ３２ａ及びＨＤＤ３２ｂから読み出して実行する。
【００４４】
ＲＡＭ３２ｄには、各種データが一時的に記憶される。
【００４５】
Ｉ／Ｏポート３２ｅには、上述したモニタ２４、入力装置２６、及びＲＦ回路３０が接続されている。また、Ｉ／Ｏポート３２ｅには、放射線照射装置１４が接続されている。
【００４６】
放射線照射装置１４は、制御部３４、放射線（本実施の形態ではＸ線）を照射する照射系３６、カセッテ装着部１５、放射線照射制御部４２、フィルタ制御部４４、可動絞り制御部４６、変調回路４８、ＬＥＤドライバ５０、及び操作パネル５２を備えている。
【００４７】
照射系３６は、放射線としてＸ線を照射する放射線照射部１７、放射されたＸ線を線質硬化させるフィルタ４０、及びＸ線の出力範囲を制御する可動絞り装置５４を備えている。
【００４８】
放射線照射部１７は、高電圧発生装置（図示せず）から高電圧の印可を受けると、Ｘ線を発生する。このＸ線の発生オペレーションは、放射線照射制御部４２及び制御部３４により制御されている。
【００４９】
フィルタ４０は、検査目的や撮影しようとする被写体１９の部位の特性に応じた線質硬化を得るために、種々の金属板等でできたフィルタを挿入引抜して、自由に差替え可能に構成される。このフィルタの交換等は、フィルタ制御部４４により駆動・制御される。
【００５０】
可動絞り装置５４は、図４に示すように、光照射野Ｌを形成する光照射野形成部５６、Ｘ線照射野Ｘを制限するＸ線照射野制限部５８、及び反射鏡５９の位置を検出して可動絞り装置５４の安全性を確認する反射鏡位置検出部６０を備えている。光照射野形成部５６、Ｘ線照射野制限部５８、及び反射鏡位置検出部６０の各々は、可動絞り装置５４全体を制御する可動絞り制御部４６に接続されている。
【００５１】
放射線照射装置１４はこのように構成されるので、Ｘ線は、まず、放射線照射部１７のＸ線窓から放出され、線質を硬化させるフィルタ４０と、Ｘ線照射野Ｘを必要最低限に絞って被曝量低減を促進するための可動絞り装置５４とを通過して、被写体１９に照射される。そして、被写体１９を透過したＸ線は、カセッテ装着部１５に装着された電子カセッテ１２に照射されて、電子カセッテ１２で、被写体を透過した放射線の放射量に応じた画像を示す画像データが生成される。
【００５２】
前述の光照射野形成部５６は、放射線照射部１７から照射される放射線の放射野を確認するための光を照射する光照射手段としてのＬＥＤ６１、ＬＥＤ６１からの光の放射範囲制限用のマスク６２、反射鏡５９及び反射鏡駆動部６３とを備える。
【００５３】
反射鏡５９は、その設置位置において照射野全範囲を覆う大きさをもつ、Ｘ線が透過しやすい薄いガラスなどにアルミ蒸着により反射面を作ってなるもので、放射線照射部１７のＸ線放射窓から所定距離離れた照射野全範囲を覆う位置に、Ｘ線中心軸と４５゜の傾斜角度をもって反射面をＬＥＤ６１側に向けて設置されている。
【００５４】
また、この反射鏡５９は回転軸６４を有し、モータまたはソレノイド等を備える反射鏡駆動部６３によりこの回転軸６４廻りを、Ｘ線経路内の正規位置とＸ線経路外の退避位置との間で回動する。そして、操作パネル５２からの入力指示等により制御部３４を介して、可動絞り制御部４６の制御に基づいて、Ｘ線経路内の正規位置に駐止したり、またはＸ線経路外の退避位置に駐止したりさせることができる。
【００５５】
ＬＥＤ６１は、その中心位置が放射線照射部１７の焦点Ｆから反射鏡５９の背面までの距離と等しく、かつその光中心軸がＸ線中心軸に直交するように向けて、すなわち共役な位置に、設置されている。なお、ＬＥＤ６１が共役な位置にあれば、反射鏡５９は必ずしもＸ線中心軸と４５゜の傾斜角度をもつ必要はない。
【００５６】
マスク６２は、上記のようにＬＥＤ６１及び反射鏡５９が設置されたときに、Ｘ線照射野とＬＥＤ６１からの可視光照射野の大きさが一致するように光の放射範囲（角度）を制限する。
【００５７】
これにより、Ｘ線を実際に照射することなく、照射目的物上でのＸ線照射野（照射範囲）を可視光（可視光照射野）にて確認することができる。
【００５８】
Ｘ線照射野制限部５８は、複数枚の絞り羽根６５と絞り羽根６５を広狭可変に設定する絞り羽根駆動部６６とを備える。
【００５９】
絞り羽根６５は、Ｘ線遮蔽材からなり、移動可能に備えられる。この複数枚の絞り羽根６５の配置関係を、操作パネル５２からの入力指示により、制御部３４を介して可動絞り制御部４６の制御に基づいて調整することにより所望の開度が得られ、上記Ｘ線照射野Ｘを得ることができる。
【００６０】
反射鏡位置検出部６０は、図３に示すように、レーザ光を発生させるレーザ光発生素子６７と、反射鏡５９により反射されたレーザ光を受光する受光素子６８ａ，６８ｂと、この受光素子６８ａ，６８ｂの出力信号の有無を検出して反射鏡５９の位置を検出する信号検出回路６９ａ，６９ｂとを備えている。なお、レーザ光発生素子６７は例えばレーザダイオードを含んで構成され、受光素子６８ａ，６８ｂは例えばフォトダイオードを含んで構成される。
【００６１】
反射鏡５９は、レーザ光発生素子６７から入射するレーザ光を反射する。
【００６２】
信号検出回路６９ａは、まず、受光素子６８ａからの受光信号を増幅する。次に、増幅された出力信号の包絡線検波と、それにより得られた整流出力を閾値演算し、整流出力のレベルが閾値以上の時にＺａ＝１（論理値１）を出力し、整流出力のレベルが閾値未満の時にＺａ＝０（論理値０）を出力する。同様に、信号検出回路６９ｂは、まず、受光素子６８ｂからの受光信号を増幅する。次に、増幅された出力信号の包絡線検波と、それにより得られた整流出力を閾値演算し、整流出力のレベルが閾値以上の時にＺｂ＝１（論理値１）を出力し、整流出力のレベルが閾値未満の時にＺｂ＝０（論理値０）を出力する。
【００６３】
したがって、レーザ光発生素子６７から照射されたレーザ光は、反射鏡５９が光照射野Ｌを設定する正規位置（図３参照）にある場合は、反射鏡５９で反射されて受光素子６８ａに入射する。そして、反射鏡５９がＸ線照射時にあるべき退避位置（図３参照）にある場合は、反射光は受光素子６８ｂに入射する。また、反射鏡５９が正規位置、退避位置のいずれの位置にもない場合は、反射光はいずれの受光素子６８ａ，６８ｂでも受光されない。受光素子６８ａ，６８ｂの受光出力は、信号検出回路６９ａ，６９ｂに送出されて、増幅される。
【００６４】
そして、可動絞り制御部４６は、公知の技術、例えば特開２００５−００６９７１号公報に記載の技術を用いて、Ｚａ＝１の場合には反射鏡５９が正規位置にあると判断し、Ｚｂ＝１の場合には反射鏡５９が待避位置にあると判断し、Ｚａ＝Ｚｂ＝０の場合には反射鏡５９の位置は正規位置でも待避位置でもないと判断して、各々の場合における適切な処理を実行する。
【００６５】
変調回路４８は、制御部３４に接続されており、制御部３４から入力されたデータを、光通信により送信するために変調して、変調データを出力する。なお、本実施の形態では、変調の方式として、デジタル変調方式を用いることとする。ＬＥＤドライバ５０は、ＬＥＤ６１及び変調回路４８に接続されており、変調回路４８から入力された変調データに基づいてＬＥＤ６１を点滅させる。これにより、ＬＥＤ６１からは、制御部３４から入力されたデータ（情報）が重畳された光が照射される。なお、変調回路４８及びＬＥＤドライバ５０は、本発明の制御手段に対応する。
【００６６】
また、放射線照射装置１４には、電子カセッテ１２が装着可能であり、電子カセッテ１２が装着されたときに照射系３６から照射されて被写体１９を透過した放射線が電子カセッテ１２に照射されるように設けられたカセッテ装着部１５が設けられている。このカセッテ装着部１５には、電子カセッテ１２が装着されているときには、装着されていることを示す信号（例えば、オン信号）を出力し、電子カセッテ１２が装着されていないときには、装着されていないことを示す信号（例えば、オフ信号）を出力するセンサ１５ａが設けられている。このセンサ１５ａは、制御部３４と接続されている。
【００６７】
制御部３４は、ＯＳ（Operating  System）等の基本プログラム、詳細を以下で説明する放射線出力処理の処理ルーチンを実行するためのプログラム、及び各種処理の処理ルーチンを実行するための各プログラムが記憶された記憶媒体としてのＲＯＭ（図示せず）、ＲＯＭからプログラムを読み出して実行することにより放射線照射装置１４の制御を司るＣＰＵ（図示せず）、各種データを一時的に記憶するＲＡＭ（図示せず）、Ｉ／Ｏポート（図示せず）、及び各種情報が記憶された記憶手段としてのメモリを含んだマイクロコンピュータで構成されている。制御部３４は、コンソール１６と接続されており、放射線照射装置１４の制御を司る。
【００６８】
次に、コンソール１６のコンソール制御装置３２のＣＰＵ３２ｃが実行するＸ線照射処理の処理ルーチンについて図５を参照して説明する。なお、本実施の形態において、Ｘ線照射処理は、入力装置２６から放射線画像の撮影指示が入力され、かつ制御部３４を介してセンサ１５ａから取り込んだ信号が電子カセッテ１２が装着されていることを示す信号（例えば、オン信号）である場合に実行される。
【００６９】
まず、ステップ１００で、可動絞り制御部４６及び制御部３４を介して信号検出回路６９ａからの信号Ｚａを取り込み、取り込んだ信号Ｚａが１（Ｚａ＝１）であるか否かを判定することにより、反射鏡５９が正規位置にあるか否かを判定する。
【００７０】
ステップ１００で、信号Ｚａが１でないと判定した場合には、反射鏡５９が正規位置にないと判断して、次のステップ１０２へ進む。
【００７１】
次のステップ１０２では、反射鏡５９を正規位置に移動させるように、反射鏡５９を正規位置に移動させる指示を制御部３４に出力する。これにより、制御部３４は、可動絞り制御部４６及び反射鏡駆動部６３を介して反射鏡５９が正規位置に移動するように、反射鏡５９を制御する。そして、次のステップ１０４へ進む。
【００７２】
一方、ステップ１００で、信号Ｚａが１であると判定した場合には、反射鏡５９が正規位置にあると判断して、次のステップ１０４へ進む。
【００７３】
ステップ１０４では、放射線照射装置１４によって被写体１９に放射線を照射してから、電子カセッテ１２によって被写体１９を透過した放射線の放射量に応じた画像を示す画像データを生成し、コンソール１６に生成した画像データを送信するまでの１つのジョブを特定するための情報として、例えば、被写体１９を識別するための情報（例えば、被写体１９の名前）が入力装置２６から入力されたか否かを判定する。
【００７４】
ステップ１０４では、上記の１つのジョブを特定するための情報が入力されるまで待機し、入力されたと判定された場合には、次のステップ１０６へ進む。
【００７５】
ステップ１０６では、入力された１つのジョブを特定するための情報、及びコンソール１６を識別するための自己のコンソールＩＤを示す送信データを生成する。なお、このコンソールＩＤは、電子カセッテ１２が生成した画像データを送信する際の送信先のコンソールを示す識別情報である。
【００７６】
次のステップ１０８では、上記ステップ１０６で生成した送信データ（画像データの送信先を示す識別情報であるコンソールＩＤ、及び１つのジョブを特定するための情報を含むデータ）、及び送信データを光通信によって送信する指示を放射線照射装置１４の制御部３４に出力する。これにより、制御部３４は、送信データ及び指示を制御部３４のＩ／Ｏポート（本発明の受信手段に対応）によって受信し、送信データを変調回路４８に出力することにより、送信データが重畳された光がＬＥＤ６１から照射される。なお、ステップ１０８は、本発明の制御手段に対応する。
【００７７】
次のステップ１１０では、Ｘ線を照射する指示を放射線照射装置１４の制御部３４に出力する。これにより、制御部３４は、放射線照射制御部４２を介して、Ｘ線を照射するように放射線照射部１７を制御して、放射線照射部１７からＸ線が照射される。なお、このときの撮影条件（撮影部位等）は、本実施の形態では、予め操作パネル５２から入力されており、この予め入力された撮影条件を用いることとする。そして、Ｘ線照射処理を終了する。
【００７８】
次に、電子カセッテ１２の制御部５５のＣＰＵ５５ｃが実行する画像データ送信処理の処理ルーチンについて図６を参照して説明する。なお、本実施の形態において、画像データ送信処理は、電子カセッテ１２の電源を投入するスイッチ（図示せず）がオンされた場合に所定時間間隔毎に実行される。
【００７９】
まず、ステップ２００で、受光素子５７ａからの信号を取り込む。
【００８０】
次のステップ２０２では、上記ステップ２００で取り込んだ受光素子５７ａからの信号に基づいて、受光素子５７ａで光を受光したか否かを判定することにより、省エネモードから通常モードに切り替える（復帰する）のか否かを判断する。
【００８１】
ステップ２０２で、光を受光していないと判定された場合には、省エネモードから通常モードに切り替える必要がないと判断して、上記ステップ２００に戻る。
【００８２】
一方、ステップ２０２で、光を受光したと判定された場合には、受光した光に重畳された情報を取り出すために通常モードに復帰する必要があると判断して、次のステップ２０４へ進む。
【００８３】
ステップ２０４では、通常モードに復帰する。すなわち、ステップ２０４では、放射線検出器２５（ＴＦＴアクティブマトリクス基板３３、蓄積容量３５、ＴＦＴ３７、画素部３９、光電変換部４１、ゲート配線４３、データ配線４５、ゲート線ドライバ４７、及び信号処理部４９）、増幅回路５７ｂ、復調回路５７ｃ、及びＲＦ回路５３ｂの各々の回路・素子が動作するための動作電力が各々の回路・素子に供給されるように電源部８０を制御する。なお、これら放射線検出器２５、増幅回路５７ｂ、復調回路５７ｃ、及びＲＦ回路５３ｂの各々の回路・素子は、電子カセッテ１２が放射線画像検出装置として用いられない場合には、その動作が可能でなくても、電子カセッテ１２が放射線画像検出装置として用いられる際に、動作電力が供給されることによりその動作が可能となれば、不都合なく、電子カセッテ１２が放射線画像検出装置としての機能を果たせる場合の回路・素子である。
【００８４】
ステップ２０６では、光を受光した受光素子５７ａからの電気信号を増幅するように、増幅回路５７ｂを制御する。これにより、増幅回路５７ｂによって電気信号が増幅されて出力される。
【００８５】
次のステップ２０８では、増幅回路５７ｂから出力された電気信号を復調して、受光素子５７ａで受光した光に重畳されたデータを出力するように、復調回路５７ｃを制御する。受光素子５７ａで受光した光には、上記１つのジョブを特定するための情報、及びコンソールＩＤを示す送信データが重畳されているので、ステップ２０６及びステップ２０８での処理によって、上記１つのジョブを特定するための情報、及びコンソールＩＤを示す送信データを取り出すことができる。
【００８６】
次のステップ２１０では、画像メモリ５１に画像データが記憶されているか否かを判定する。
【００８７】
ステップ２１０では、画像メモリ５１に画像データが記憶されていると判定されるまで待機し、ステップ２１０で、画像メモリ５１に画像データが記憶されていると判定された場合には、次のステップ２１２へ進む。
【００８８】
ステップ２１２では、上記ステップ２０８で取り出した、１つのジョブを特定するための情報、及びコンソールＩＤとを対応付けて記憶するように、記憶手段としてのＨＤＤ５５ｂを制御する。これにより、ＨＤＤ５５ｂには、１つのジョブを特定するための情報、及びコンソールＩＤとが対応付けられて記憶される。
【００８９】
ステップ２１４では、画像メモリ５１に記憶されている画像データを読み込んで、読み込んだ画像データに、１つのジョブを特定するための情報、コンソールＩＤ、電子カセッテ１２を識別するための自己のカセッテＩＤを付加したデータ（情報）を、このコンソールＩＤが示す送信先のコンソールに対して送信するように、通信部５３のＲＦ回路５３ｂを制御する。これにより、画像データに、１つのジョブを特定するための情報、コンソールＩＤ、及びカセッテＩＤを付加したデータが、コンソールＩＤが示す送信先のコンソールに送信される。なお、このカセッテＩＤは、コンソール１６に画像データを送信した電子カセッテ１２を識別するためのＩＤ情報である。
【００９０】
次のステップ２１６では、ステップ２１４でのデータの送信が完了したので、省エネモードに遷移する。すなわち、ステップ２１６では、放射線検出器２５（ＴＦＴアクティブマトリクス基板３３、蓄積容量３５、ＴＦＴ３７、画素部３９、光電変換部４１、ゲート配線４３、データ配線４５、ゲート線ドライバ４７、及び信号処理部４９）、増幅回路５７ｂ、復調回路５７ｃ、及びＲＦ回路５３ｂの各々の回路・素子に供給される電力を各々の動作電力より小さくするか、または各々の回路・素子に電力を供給しないように電源部８０を制御する。これにより、電子カセッテ１２が放射線画像検出装置として用いられない場合には、消費電力を少なくすることができ、電子カセッテ１２の電池の寿命が長くなる。そして、画像データ送信処理を終了する。
【００９１】
次に、コンソール１６のコンソール制御装置３２のＣＰＵ３２ｃが実行する画像データ受信処理の処理ルーチンについて図７を参照して説明する。なお、本実施の形態において、画像データ受信処理は、コンソール１６の電源を投入するスイッチ（図示せず）がオンされた場合に所定時間間隔毎に実行される。
【００９２】
まず、ステップ３００で、電子カセッテ１２が送信した画像データを受信したか否かを判定する。
【００９３】
ステップ３００では、画像データを受信したと判定されるまで待機し、ステップ３００で画像データを受信したと判定された場合には、次のステップ３０２へ進む。
【００９４】
ステップ３０２では、受信した画像データ、画像データに付加されたカセッテＩＤ、コンソールＩＤ、及び１つのジョブを特定するための情報を対応付けて記憶するように記憶手段としてのＨＤＤ３２ｂを制御する。これにより、ＨＤＤ３２ｂには、受信した画像データ、画像データに付加されたカセッテＩＤ、コンソールＩＤ、及び１つのジョブを特定するための情報が対応付けられて記憶される。そして、画像データ受信処理を終了する。
【００９５】
以上説明したように、本実施の形態の放射線照射装置１４は、放射線を被写体１９に照射する放射線照射手段としての放射線照射部１７と、データの送信先を示す識別情報であるコンソールＩＤを含む情報を受信する受信手段としての制御部３４のＩ／Ｏポートと、放射線照射装置１４から照射されて被写体１９を透過した放射線の放射量に応じた画像を示す画像データを生成する画像データ生成手段としての放射線検出器２５、コンソールＩＤを記憶する記憶手段としてのＨＤＤ５５ｂ、コンソールＩＤがＨＤＤ５５ｂに記憶されるように制御する記憶制御手段としてのＣＰＵ５５ｃ、及び生成した画像データをＨＤＤ５５ｂに記憶されたコンソールＩＤで示される送信先に送信する通信部５３を備えた放射線画像検出装置としての電子カセッテ１２がカセッテ装着部３８に装着されているときに、受信されたコンソールＩＤがＨＤＤ５５ｂに記憶されるように制御する制御手段としての変調回路４８、ＬＥＤドライバ５０、及びＬＥＤ６１とを含んで構成されている。
【００９６】
本実施の形態に係る放射線照射装置１４によれば、データの送信先を示す識別情報であるコンソールＩＤを含む情報が、装着された電子カセッテ１２のＨＤＤ５５ｂに記憶されるように制御するので、電子カセッテ１２を持ち歩くことなく、電子カセッテ１２が画像データを送信する際の送信先の情報を記憶しておくことができ、これにより、電子カセッテ１２で生成された画像データを受信可能な装置が複数存在する場合であっても、簡易かつ確実に特定の装置へ画像データを送信することができる。
【００９７】
また、本実施の形態に係る放射線照射装置１４によれば、放射線を被写体１９に照射する放射線照射部１７と、データの送信先を示す識別情報であるコンソールＩＤを含む情報を受信する制御部３４のＩ／Ｏポートと、放射線照射部１７から照射された放射線の放射野を確認するための光を照射する光照射手段としてのＬＥＤ６１と、放射線照射部１７から照射されて被写体１９を透過した放射線の放射量に応じた画像を示す画像データを生成する放射線検出器２５、光を受光する受光手段としての受光素子５７ａ、コンソールＩＤを記憶するＨＤＤ５５ｂ、受光素子５７ａで受光された光に重畳されたコンソールＩＤがＨＤＤ５５ｂに記憶されるように制御するＣＰＵ５５ｃ、及び生成した画像データをＨＤＤ５５ｂに記憶されたコンソールＩＤで示される送信先に送信する通信部５３を備えた電子カセッテ１２が装着されているときに、受信されたコンソールＩＤが重畳された光が照射されるようにＬＥＤ６１を制御する制御手段としての変調回路４８及びＬＥＤドライバ５０を含んで構成されている。
【００９８】
本実施の形態に係る放射線照射装置１４によれば、電子カセッテ１２がカセッテ装着部１５に装着されているときに、データの送信先を示すコンソールＩＤが重畳された光が照射される。このとき、電子カセッテ１２では、この照射された光が受光され、受光された光に重畳されたコンソールＩＤをＨＤＤ５５ｂに記憶するように制御されるので、電子カセッテ１２を持ち歩くことなく、電子カセッテ１２が画像データを送信する際の送信先の情報を記憶しておくことができ、これにより、電子カセッテ１２で生成された画像データを受信可能な装置が複数存在する場合であっても、簡易かつ確実に特定の装置へ画像データを送信することができる。
【００９９】
また、本実施の形態に係る放射線画像検出システム１０によれば、電子カセッテ１２が装着されているときに、データの送信先を示すコンソールＩＤが重畳された光が照射される。このとき、電子カセッテ１２では、この照射された光が受光され、受光された光に重畳されたコンソールＩＤをＨＤＤ５５ｂに記憶するように制御されるので、電子カセッテ１２を持ち歩くことなく、電子カセッテ１２が画像データを送信する際の送信先の情報を記憶しておくことができ、これにより、電子カセッテ１２で生成された画像データを受信可能な装置が複数存在する場合であっても、簡易かつ確実に特定の装置へ画像データを送信することができる。
【０１００】
なお、本実施の形態では、放射線照射装置１４から光通信を行う例について説明したが、指向性の高い無線通信でもよい。
【０１０１】
また、１つのジョブを特定するための情報として、被写体１９を識別するための情報を例として挙げ、その被写体１９を識別するための情報の例として、被写体１９の名前を挙げたが、被写体１９を識別するための情報として、例えば、被写体１９の患者コード、被写体１９の誕生日、被写体１９の性別、または被写体１９の年齢を用いてもよい。また、１つのジョブを特定するための情報として、撮影条件を表す情報、例えば、受付番号、検査番号、診断タイプ、技師名、撮影部位、または術式を用いてもよい。また、１つのジョブを特定するための情報に、上記被写体１９を識別するための情報及び上記撮影条件を表す情報の少なくとも一方の情報を含ませるようにしてもよい。
【０１０２】
また、電子カセッテ１２の外装の全てに、照射された光を受光素子５７ａに光学的に繋げるライトパイプの機能をもたせて、送信データが重畳された光を外装のどの部分で受けても、その光が受光素子５７ａに導かれるようにしてもよい。これにより、より確実に光通信を行うことが可能となる。
【０１０３】
また、放射線検出器２５が、光を受光する受光素子としての機能を兼ねてもよい。例えば、ケーシング２０に窓を設けて、この窓から光を受光するようにしてもよい。
【０１０４】
また、本実施の形態では、光通信としてデジタル変調方式を用いた例について説明したが、光の強弱から対応する電気信号を生成するアナログ変調方式を用いてもよい。
【０１０５】
また、図８に示すように、可動絞り装置５４及び可動絞り制御部４６によって、光の照射野が変更（調整）された場合であっても、ＬＥＤ６１から照射される光が必ず照射される領域が存在するように放射線照射装置１４を構成し、その光が必ず照射される領域に光を受光する受光素子（受光部）が設けられるようにしてもよい。これにより、より確実に光通信を行うことが可能となる。また、その光が必ず照射される領域は、図９（Ａ）、図９（Ｂ）に示すように、照射可能な範囲の辺縁部になるようにしてもよい。
【図面の簡単な説明】
【０１０６】
【図１】本実施の形態に係る放射線画像取扱システムの概略構成を示す図である。
【図２】(Ａ)は放射線画像撮影時の電子カセッテの配置を示す概略図、(Ｂ)は電子カセッテの内部構造を示す斜視図である。
【図３】本実施の形態に係る電子カセッテの概略構成を示す図である。
【図４】本実施の形態に係る放射線照射装置の概略構成を示す図である。
【図５】本実施の形態に係るコンソールが実行するＸ線照射処理の処理ルーチンのフローチャートを示す図である。
【図６】本実施の形態に係る電子カセッテが実行する画像データ送信処理の処理ルーチンのフローチャートを示す図である。
【図７】本実施の形態に係るコンソールが実行する画像データ受信処理の処理ルーチンのフローチャートを示す図である。
【図８】本実施の形態の変形例を説明するための図である。
【図９】本実施の形態の変形例を説明するための図である。
【符号の説明】
【０１０７】
１０              放射線画像取扱システム
１２              電子カセッテ
１４              放射線照射装置
１７              放射線照射部
２５              放射線検出器
３４              制御部
３８              カセッテ装着部
４８              変調回路
５０              ＬＥＤドライバ
５５ｂ            ＨＤＤ
５５ｃ            ＣＰＵ
６１              ＬＥＤ
【図１】
2009276390.tif 000003
【図２】
2009276390.tif 000004
【図３】
2009276390.tif 000005
【図４】
2009276390.tif 000006
【図５】
2009276390.tif 000007
【図６】
2009276390.tif 000008
【図７】
2009276390.tif 000009
【図８】
2009276390.tif 000010
【図９】
2009276390.tif 000011